(57)【要約】  本発明は、害虫、より具体的には昆虫、好ましくは長角亜目（Ｎｅｍａｔｏｃｅｒａ）及び短角亜目（Ｂｒａｃｈｙｃｅｒａ）を駆除し且つ／又は追い払うためのデバイスに関する。本発明の基本的な概念は、個々の小滴を使用して害虫を駆除するか又は追い払うというものである。ヒトへのリスクが有利に回避される。
2018520700.tif 000002
【特許請求の範囲】
【請求項１】
害虫を駆除するか又は追い払うためのデバイスにおいて、少なくとも１つの個々の微細な液滴によって前記害虫を打ち、且つそれにより追い払い又は駆除の所望の効果を達成することを特徴とする、デバイス。
【請求項２】
前記液滴の体積が０．１ｐｌ〜０．１ｍｌの範囲内、特に１ｐｌ〜１μｌの範囲内であることを特徴とする、請求項１に記載のデバイス。
【請求項３】
複数の小型固定ノズル（２）、特にインクジェット印刷から知られるノズルが使用され、スマート制御ユニットにより、
・各場合において、前記害虫に１つの液滴を発射する１つのノズルのみが作動されるか、又は
・２つ以上のノズルが作動され、前記２つ以上のノズルのそれぞれが前記害虫に１つの液滴を発射すること、及び特に、
・害虫が範囲内にいるとき、複数のノズルが同時に作動される
ことのいずれかであることを特徴とする、請求項１又は２に記載のデバイス。
【請求項４】
前記追い払い又は駆除の所望の効果が前記液滴の運動エネルギーによって達成され、前記液滴が好ましくは純水から構成されることを特徴とする、請求項１〜３のいずれか一項に記載のデバイス。
【請求項５】
前記追い払い又は駆除の所望の効果が、前記液滴の流体に少なくとも１種の機能材料、特に殺虫剤及び／又は芳香族物質及び／又は忌避剤を添加することによって達成されることを特徴とする、請求項１〜３のいずれか一項に記載のデバイス。
【請求項６】
ａ）前記ノズルの直線的配置を有するバー（１）の形態、
ｂ）前記ノズルの２次元配置を有するプレート（３）の形態、
ｃ）前記ノズルの３次元配置を有する半球（４）の形態、及び
ｄ）前記対象物体を捕らえるために２軸で回転され得る１つのノズルのみを有する銃（５）の形態
の中から選択される形態を有することを特徴とする、請求項１〜５のいずれか一項に記載のデバイス。
【請求項７】
前記ノズルの固定発射方向の空間分布が異なる方向に向かうことを特徴とする、請求項１〜６のいずれか一項に記載のデバイス。
【請求項８】
前記害虫の位置が適切なセンサによって取得されることと、前記データがスマート制御ユニットに送信されることとを特徴とする、請求項１〜７のいずれか一項に記載のデバイス。
【請求項９】
異なるセンサタイプのデータが使用されることと、特にある種の害虫の存在が音響的に確認されるのに対して、正確な位置が他の方法によって特定され、昆虫、特に好ましくは長角亜目（Ｎｅｍａｔｏｃｅｒａ）及び短角亜目（Ｂｒａｃｈｙｃｅｒａ）のハエの特徴的な羽ばたき周波数が好ましくは音響的に検出されることとを特徴とする、請求項１〜８のいずれか一項に記載のデバイス。
【請求項１０】
前記スマート制御ユニットの仕様に記載される通り、１つ又はいくつかの方向に動かされ、且つ／又はわずかに傾けられることを特徴とする、請求項１〜９のいずれか一項に記載のデバイス。
【請求項１１】
前記１つ又は複数の液滴が、更なる移動方向が設定されるように移動中に発射されることを特徴とする、請求項１０に記載のデバイス。
【請求項１２】
前記システムが閉鎖空間又は屋外領域で使用されることを特徴とする、請求項１〜１１のいずれか一項に記載のデバイス。
【請求項１３】
害虫を駆除するか又は追い払うための、請求項１〜１２のいずれか一項に記載のデバイスの使用。
【請求項１４】
請求項１〜１３のいずれか一項に記載のデバイスが使用されることを特徴とする、害虫を駆除するか又は追い払うための方法。
【発明の詳細な説明】
【技術分野】
【０００１】
本発明は、害虫、特に昆虫、好ましくは長角亜目（Ｎｅｍａｔｏｃｅｒａ）及び短角亜目（Ｂｒａｃｈｙｃｅｒａ）のハエを駆除し且つ／又は追い払うためのデバイスに関する。
【背景技術】
【０００２】
昆虫用の標準的な罠は、通常、紫外線、並びに場合により熱及び／又はフェロモンによって昆虫を引きつける「箱」である。捕獲及び／又は駆除用の３つの機構、即ち帯電グリッド、接着剤フィルム、及び吸引が慣習的に用いられている。  
【０００３】
これら種々の形態は全て限られた有効性のみを有する。例えば、長角亜目（Ｎｅｍａｔｏｃｅｒａ）のハエは、上述の手法によって容易に引きつけられず、益虫も一層多く駆除されている。
【０００４】
虫除けスプレー（例えば、スプレー缶入り）及び殺虫剤を蒸気形態で徐々に放出するデバイスも慣習的に使用されている。両方のシステムの大きい欠点は、長期的にはヒトにも有害であることが多い殺虫剤のヒトへの曝露である。
【０００５】
昆虫を駆除するための多様な方法及びデバイスが特許文献に記載されている。  
【０００６】
中国実用新案第０００００２４３２７８４Ｙ号明細書は、湯で動作し昆虫を駆除する、リザーバを有するスプレーガンについて記載している。デバイスは人が操作しなければならない。更に、噴霧される水の量は、不適当に取り扱った場合に人に怪我をさせるほど十分に多い。
【０００７】
中国特許出願公開第０００１０２８９３９７９Ａ号明細書は、蚊のノイズに反応し、蚊を追い払い且つ／又は殺すための水スプレーを発生させる、庭の池で使用するための検出器について開示している。
【０００８】
これは自動的に動作するシステムであるが、使用される水の量から、通常、建物内での使用は禁じられる。更に、この水量はまた、近くにいる人にとって快適なものではない。
【０００９】
特開２００７２５２２７４号公報は、遠隔制御によって（例えば、カメラによって）狙いを定め、殺虫剤、煙、又はその両方を選択的に発射するある種の「銃」について記載している。このデバイスも、多くの、したがって場合により有害な量の殺虫剤を使用するという欠点を有する。
【００１０】
独国特許第１０２００６００２７３Ｂ３号明細書は、飛翔昆虫を操作するための方法及びデバイスについて開示している。飛翔昆虫の存在について空間を音響的に監視し、飛翔昆虫の音声周波数特性を検知する。
【００１１】
昆虫は、その後、例えば２つのレーザー光線によって撃ち落とされる。
【００１２】
以下の更なる特許文献は、昆虫制御用のレーザー光線の使用について教示している：国際公開第２０１２１７１４４５号パンフレット、韓国特許出願公開第１０２０１００３６４１７号明細書、米国特許出願公開第０２０１３０１６７４２９号明細書、米国特許第５３４３５６５２号明細書、独国特許第３８２５３８９号明細書、及びＪＰ０００Ｈ０６１９７６７４号公報。
【００１３】
前述の文献には、ヒトに対するリスクを最小限にするための対策が記載されているものの、害虫を駆除するか又は追い払うための十分なパワーを有する光線は、ヒト、特に眼に有害でもあり得るため、依然としてリスクが残っている。
【００１４】
したがって、従来技術の欠点を回避する、害虫、特に昆虫を制御するための技術的な解決策が必要とされている。
【００１５】
驚くべきことに、害虫、特に昆虫は、それらを個々の微細な液滴によって打つことによって駆除し且つ／又は追い払い得ることが見出された。
【発明の概要】
【発明が解決しようとする課題】
【００１６】
本発明の目的は、したがって、害虫を駆除するか又は追い払うためのデバイスにおいて、少なくとも１つの個々の微細な液滴によって害虫を打ち、且つそれにより追い払い又は駆除の所望の効果を達成することを特徴とする、デバイスである。
【課題を解決するための手段】
【００１７】
本発明の基本的な概念は、個々の小液滴を使用して害虫を駆除するか又は追い払うというものである。このため、ヒトへの危険性が有利に回避される。
【００１８】
個々の液滴を発生させるために、特にいわゆるインクジェット印刷用のプリンタヘッドで使用される技術を使用できる。インクジェット印刷はデジタル印刷の主な印刷方法の１つであり、このため、個々の顕微鏡的に小さい液滴を生成するための適切なユニットを多量に、多様な種類で、且つ手頃な価格で入手できる。
【００１９】
本発明によれば、２つの基本実施形態を区別することができる。
【００２０】
Ａ：高速の１つの微細な液滴の物理的衝撃によって害虫を殺すか又は忌避する。流体として、この場合、特に純水を使用できる。これには、いかなる毒性副作用も有しないという利点がある。
【００２１】
Ｂ：殺虫剤による（又は特定の機能を有する別の流体による）１つの微細な液滴によって害虫を殺すか又は忌避する。従来技術を上回る大きい利点は、使用される殺虫剤の量が極めて少ないため、ヒトへの危険がないことである。
【００２２】
以下の考察では、この重要な点、即ち、標準的な殺虫剤スプレーが例えば２５０ｍｌの殺虫剤を含むことができ、これはおよそ１００発のスプレーに十分なものであり、換言すると、１回の発射につき約２．５ｍｌの殺虫剤が排出されることに重点を置く。インクジェット印刷では、１ｐｌ〜１００ｐｌの範囲内の液滴直径が通常であり、換言すると、１００ｐｌの液滴直径を有する場合であっても、殺虫剤スプレー缶の１回の発射の量に等しくするために、２．５×１０７個のこれら液滴が必要となる。
【００２３】
本発明の概念に関連して、「害虫」という用語は、概して、望ましくない動物を意味するものと理解される。特定の（しかし、非限定的な）例は、特に昆虫、特に長角亜目（Ｎｅｍａｔｏｃｅｒａ）又は短角亜目（Ｂｒａｃｈｙｃｅｒａ）のハエなどの飛翔昆虫及びまた鳥類又は齧歯類である。
【００２４】
用途領域に応じて、基本実施形態Ｂによる流体に種々の添加剤を使用してもよい。殺虫剤については既に述べた。殺虫剤の種類及び活性は、液滴直径及び害虫の種別に適合される。
【００２５】
本発明による適切な殺虫剤の例としては、
−  カンフェクロール、ＤＤＴ、ヘキサクロロシクロヘキサン、γ−ヘキサクロロシクロヘキサン、メトキシクロル、ペンタクロロフェノール、ＴＤＥ、アルドリン、クロルダン、クロルデコン、ジエルドリン、エンドスルファン、エンドリン、ヘプタクロル、マイレックス、及びこれらの混合物などの塩素系殺虫剤、
−  アセフェート、アジンホスメチル、ベンスリド、クロルエトキシホス、クロルピリフォス、クロルピリホスメチル、ダイアジノン、ジクロルボス（ＤＤＶＰ）、ジクロトホス、ジメトエート、ジスルホトン、エトプロプ、フェナミホス、フェニトロチオン、フェンチオン、ホスチアゼート、マラチオン、メタミドホス、メチダチオン、メチルパラチオン、メビンホス、ナレド、オメトエート、オキシデメトンメチル、パラチオン、ホレート、ホサロン、ホスメト、ホステバピリム、ピリミホスメチル、プロフェノホス、テルブホス、テトラクロルビンホス、トリブホス、トリクロルホン、及びこれらの混合物などの有機リン系殺虫剤、
−  アルディカーブ、カルボフラン、カルバリル、メトミル、２−（１−メチルプロピル）フェニルメチルカルバメート、及びこれらの混合物などのカルバメート類、
−  アレスリン、ビフェントリン、デルタメトリン、ペルメトリン、レスメトリン、スミスリン、テトラメトリン、トラロメトリン、トランスフルトリン、及びこれらの混合物などのピレスロイド類、
−  デリス（ロテノン）、ジョチュウギク、インドセンダン（アザジラクチン）、ニコチン、カフェイン、及びこれらの混合物などの植物毒
が挙げられる。
【００２６】
本発明の範囲内において、別の機能、例えば、飛翔昆虫の羽を貼り合わせるか又は気門をかなりの程度まで詰まらせる接着材料の使用も可能である。概して、この場合、害虫に有害な影響を及ぼす材料が使用され得るが、この理由は、これらの材料が標的化された状態で且つヒトに完全に無害の極めて微量で害虫に直接適用されるからである。
【００２７】
従来技術によれば、例えば、インクジェット印刷において、流体に更なる機能性添加剤を添加してもよい。このような機能性添加剤の例としては、排出時に最適な液滴が形成されるように流体の表面張力を変化させる界面活性剤が挙げられる。
【００２８】
両方の基本実施形態の重要な点は、標的化された状態で液滴が害虫を打つことである。これは、３つのステップを含むプロセスにおいて実現される。
１．害虫の位置の検出
２．発射に必要な動作の計算
３．発射
【００２９】
本発明に関して、ステップ１には以下の実施可能性がある。
【００３０】
従来技術は、害虫の位置を検出するための多くの選択肢を含む。具体例は、光学システム、音響システム、及び容量性システムである。
【００３１】
光学システムの例としては、カメラ（特にＣＣＤカメラ、具体的には、任意選択的に画像認識工程での空間捕捉用の少なくとも２つのカメラを典型的に含む２次元チップ又はラインスキャンカメラシステム）、及びスキャナ（特にレーザースキャナ）が挙げられる。光バリアなどのより単純なシステムを使用してもよい。この場合、種々の波長を使用してもよい。この場合、ヒトの眼で見ることができない赤外領域が特に有利である。
【００３２】
音響システムの場合、能動素子及び受動素子がある。マイクロフォンは受動素子である。特に飛翔昆虫の信号の評価に関して、長角亜目（Ｎｅｍａｔｏｃｅｒａ）又は短角亜目（Ｂｒａｃｈｙｃｅｒａ）のハエの羽ばたきなどの特性周波数を分析することが可能である。能動音響システムでは超音波が一般に用いられる。トランスデューサが音波を放つ。対応する検出器が物体からの反射を捉え、その空間位置を適切な信号処理によって特定することを可能にする。自然界では、コウモリがこのようなシステムを使用する。
【００３３】
容量性システムは、通常、実質的により正確でない位置検出のみを可能にする。しかしながら、容量性システムは、以下で更に記載する実施形態の１つの必要を十分に満たすものである。この場合、スマートフォンの技術に類似する従来技術を使用することができる。
【００３４】
本発明の概念を更に明確にするために、以下では、図面を参照して個々の好適な実施形態を複雑さが増す順に詳述する。
【図面の簡単な説明】
【００３５】
【図１】バー（１）、即ち、本発明の概念の意味で実質的に直線配列の形態の本発明の概念によるデバイスを示す。
【図２】プレート（３）、換言すると、本発明の概念に関連する２次元アレイの形態の本発明の概念によるデバイスを示す。
【図３】半球（４）、換言すると、本発明の概念に関連する３次元アレイの形態の本発明の概念によるデバイスを示す。
【図４】「銃」（５）の形態の本発明の概念によるデバイスを示す。この場合、対象物体を捕らえるために２軸で回転され得る１つのノズルのみがある。
【発明を実施するための形態】
【００３６】
実施形態ａ：バー
図１は、バー（１）の形状、即ち、本発明の概念の意味で実質的に直線的配置の本発明の概念によるデバイスを示す。この特定の実施形態は、本発明の概念の一連のより一般的な態様を説明するためにも使用される。
【００３７】
明確に説明するため、ここでは、０．５ｍの長さ、１０ｍｍの幅、及び５ｍｍの厚さを有するバー（１）の一例を選択している。バーの頂面には、複数の微小なノズル（２）、例えばインクジェット印刷から知られるノズルが配置されている。これらのノズルは、図１の詳細拡大図に概略的に示されている。ノズルの出口開口部の直径は、通常、１０〜１００μｍの範囲内である。インクジェット印刷技術に基づく個々のノズルの製造は比較的低コストであるため、多数のこのようなノズルを使用することができる。例えば、ノズルは約２ｍｍの間隔で配置することができる。長さが０．５ｍの場合、このため、バー全体で約２５０個のノズルになる。
【００３８】
本発明による好適なノズル及び／又はノズルアレイを、インクジェット印刷用に市販されているプリンタヘッド（例えば、タイプ１２６及び１２８（Ｘａａｒ）又はＫＪ４Ｂシリーズ（京セラ））のノズル及び／又はノズルアレイと同様に作製することができる。
【００３９】
基本実施形態では、バーから液滴が放出される方向は設計により定められる。ほとんどの場合、この方向は、バーの頂面に垂直、即ち、図１のｚ方向である。より大きい空間領域をカバーするために、ノズルは様々な角度で配置することができる。当業者には、使用目的に適した配置を決定することは容易である。  
【００４０】
上述の技術を使用して害虫の位置を検出する（対応するセンサ及び１つ又はいくつかの制御ユニットは図１に示さない。１つ又はいくつかの外部ユニットも使用することができる）。害虫がバーの検出ゾーンに入ると計算を行い、使用可能なノズルのうちのいずれが最大ヒット確率を有するかを特定する。このプロセスでは、多くのパラメータ、例えば害虫に対するバーの位置、害虫の移動方向、速度及び典型的な移動パターン、並びにまた空間内の空気流を考慮することができる。その後、最適なノズルが作動され、害虫を打って所望の効果をもたらす１個の液滴を放つ。制御は自動であり（基本パラメータのプリセット後）、人の介入はない。
【００４１】
人の存在も考慮することができる。したがって、記載されている本発明の概念の結果は、１つ又はいくつかの液滴が当たってもヒトへの危害を何ら引き起こさないというものである。しかしながら、より大きく且つ速い液滴が繰り返し当たると不快と感じられる可能性がある。したがって、人が液滴の範囲内にいる場合に液滴放出を遅らせるか又は完全に停止することが可能である。ヒトを不快にする可能性を最小限にするための更なる対策は、制御ユニットを、定められた時間間隔内で限られた数の液滴のみ、例えば、１分間につき１個のみの液滴を発射するように設定することである。これにより、同時に流体の消費を最小限にする。
【００４２】
センサ制御システムは、静止している標的に発射しないように設定されることが好ましい。
【００４３】
インクジェット印刷ノズルは極めて小さいため、本明細書で記載される実施形態のようなコンパクトな設計が達成される。使用される流体を有するリザーバ（ここでは図示しない）がバー１の内部又は下に配置されていることが好ましい。ここで、ユーザにより特に容易に交換されるカートリッジを使用することができる。ユニット全体は、例えば、電源接続、電池、又は蓄電池により供給される電力で動作する。屋外での使用にはソーラーモジュールと組み合わせると有利である。
【００４４】
記載されているバーは、閉鎖空間内のいずれの場所でも、特に、壁及び天井に取り付けることができる。天井への取り付けが特に有利である。なぜなら、そうすることで液滴が実質的に下方に発射されるため、重力により液滴が更に加速するからである。
【００４５】
いくつかのデバイスを室内に分散させて取り付けることも同様に考えられる。目的用途に応じて、バーは屋外でも使用することができる。この一例は、ハトを追い払うべき建物の外部領域の一部である。ハトの場合、バーを単に「寄せ付けない」に設定すべきである。齧歯類に対する使用では、床近辺の取り付けが有利である。
【００４６】
ベルト又は帽子などの衣類に移動式変形形態を取り付けることも可能である。
【００４７】
別の変形形態では、バーは、アクチュエータによって１つ又はいくつかの空間的方向に動かされるか、傾けられるか、又は回転される。動きは連続的に又は定められた増分で行われ得る。定められた増分の一例は、長手方向におけるグリッド寸法の半分のバーの動きである。０．５ｍの長さ及び２ｍｍ間隔のノズルを有するここで特に記載されている実施形態では、このような増分は１ｍｍである。
【００４８】
動きの性質に応じて、及び適切な制御ユニットによってバーを動かすと、カバーされる空間的領域及びヒットの確率が増加する。コンパクトな構造を維持するためにわずかな動きのみを行うことが優先される。この場合、コンパクトな構造を維持しつつ、大きい回転を可能にする長手方向の軸線（図１のｘ軸）の周りの回転運動は例外である。
【００４９】
動きの速度は、対象の害虫の移動速度に比べて速いことが好ましい。
【００５０】
別の変形形態では、液滴はノズルアレイが動く時間内に発射される。したがって、液滴に更なる動きの成分を与えることができ、これにより、カバーされる空間的領域及びヒットの確率も増加する。
【００５１】
本明細書で記載される実施形態及び以下に記載される実施形態の大部分に関する重要な物理的側面に留意すべきである。本発明の概念の意味における非常に小さい液滴の空気中における範囲は限られる。液滴が初速度ｖ０で出る場合、この速度は、その後、空気摩擦によって低下する（幾分簡略化される）。液滴直径はかなりの影響を及ぼす変数である。液滴が小さくなるほど範囲は短くなる。
【００５２】
用途に応じて範囲を増大することが望ましい。これは、以下の対策によって達成することができる。
・上述のような液滴直径の増加
・液滴の下方の動き（重力）
・初速度ｖ０の増加
・液滴に使用する流体の密度の増加
【００５３】
明らかに、これらの選択肢の異なるものの組み合わせも有利である。
【００５４】
本明細書で記載される実施形態ａの別の変形形態では、ヒット確率を増加するためにいくつかのノズルを同時に作動させることができる。別の変形形態では、制御ユニットにより、作動されるノズルの厳密な数が現在の状況に合わせて調整される。
【００５５】
更に別の好適な変形形態では、複数のノズルから全ノズルまでを同時に作動する。実施形態に応じて群で作動させることもできる。
【００５６】
この好適な変形形態では、バーは、狭い動作範囲、例えば約０．５ｍ（ｘ方向）×２ｍｍ（ｙ方向）×５ｃｍ（ｚ方向）の範囲のみを有することができる。例えば、この範囲内でセンサが長角亜目（Ｎｅｍａｔｏｃｅｒａ）のハエを検知した場合、全ノズルが作動される。このシステムは、非常にシンプルな制御ユニットのみを要し、また比較的シンプルなセンサで済ませることができる。したがって、非常に低コストのデバイスを作製することができる。
【００５７】
実施形態ａは、閉鎖された広すぎない空間内で飛翔昆虫を駆除するのに好適な変形形態である。時間とともに、空間内の飛翔昆虫が検出ゾーン内を移動し、そこで駆除される確率が高くなる。明らかに、これは実施形態の適切な位置決めによって向上させることができる。加えて、害虫を引きつけるための既知の対策を使用することができる。
【００５８】
この比較的シンプルな実施形態において、上述の対策、例えば、光バリアを長角亜目（Ｎｅｍａｔｏｃｅｒａ）又は短角亜目（Ｂｒａｃｈｙｃｅｒａ）のハエの羽ばたき周波数の検出と組み合わせることにより、流体の消費及びヒトに不快感を与える可能性も最小限にすることができる。
【００５９】
この変形形態の有利な使用の一例は、屋外で、例えばシャッターボックス内に巣を作ったハチを追い払うか又は駆除するためのものである。バー（１）は、入ってくるハチを追い払うか又は駆除するため、ハチが出入りする開口部に直接近接して取り付けられる。
【００６０】
別の例は、バー（１）をドアの隙間の上方に取り付けることである。バー（１）は、一般に、昆虫、特にアリの侵入を防ぐことができる。
【００６１】
記載されている簡略化された実施形態の変形形態では、害虫を駆除するか又は追い払うことに加え、ヒトにとって心地よい効果を生じさせるために、家庭用芳香剤などの芳香族物質を流体に添加することができる。デバイスは、したがって２つの機能、即ち、害虫を追い払うか又は駆除する機能及び部屋用芳香剤を散布する機能を有する。
【００６２】
別の変形形態では、対象の害虫を駆除又は追い払うこととともに他の害虫を阻止するために、流体は、芳香族物質に加えて又はこれに代えて、忌避剤を含有することができる。適切な忌避剤の例としては、Ｎ，Ｎ−ジエチル−３−メチルベンズアミド（商品名「ＤＥＥＴ」）、フタル酸ジメチル（商品名Ｐａｌａｔｉｎｏｌ  Ｍ、ＤＭＰ）、１−ピペリジンカルボン酸−２−（２−ヒドロキシエチル）−１−メチルプロピルエステル、及び特に３−（Ｎ−ｎ−ブチル−Ｎ−アセチル−アミノ）−プロピオン酸エチルエステル（商品名Ｉｎｓｅｋｔ  Ｒｅｐｅｌｌｅｎｔ（登録商標）３５３５（Ｍｅｒｃｋ））が挙げられる。忌避剤は個々に及び組み合わせて使用することができる。
【００６３】
この形態の実施形態では、定期的に放出される流体量の時間及び量は、制御ユニットにおいてプログラムすることができる。前述の記載の補助を得て、当業者であれば流体の配合及びリザーバの大きさを特定の用途に適応させることができる。
【００６４】
インクジェット印刷では、液滴はノズルから基材（通常、紙）上に、基材に非常に近接して発射される。わずかな距離（通常、０．５ｍｍ未満）のために、種々のノズルからの液滴の飛行方向のわずかなずれは問題ではない。本発明の概念の範囲内のデバイスでは、この効果を考慮に入れなければならない。効果を考慮に入れるために２つの手法が提案される。第１の手法では、各個々のノズルの飛行方向が製造時に確認され、バーの制御ユニットにプログラムされる。したがって、各液滴の飛行方向は制御ユニットにとって既知であり、対象の捕捉において考慮に入れることができる。時間とともに方向のずれがあった場合、再校正を例えば保守サービスの一部として実施することができる。第２の手法では、例えば、液滴を案内するためのチャネルを長くすることによってノズルの空間的分散が最小化される。
【００６５】
実施形態ｂ：プレート
図２は、プレート（３）、換言すると、本発明の概念に関連する２次元アレイの形態の本発明の概念によるデバイスを示す。ある特定の実施形態では、例えば、厚さは５ｍｍであり、面積は０．５ｍ×０．５ｍであり得る。残りの特徴は、実施形態ａとして記載したバー（１）の特徴に類似している。これは、実施形態ａで記載した多くの変形形態にも当てはまる。
【００６６】
ここで、プレート（３）の特定の性質及び実施形態について記載する。
【００６７】
バー（１）と同様に、複数の微小なノズル（２）がプレートの頂面に配置されている。バー（１）と比べて広いプレート（３）の面積により、大幅により多くのノズルを収容し、したがってより広い空間的領域をカバーすることが可能になる。このため、ノズルは、ｘ方向及びｙ方向に例えば約１ｃｍの間隔で配置することができる。例えば、０．５ｍ×０．５ｍの面積では、これはプレート全体で２５００個のノズルとなる。
【００６８】
液滴がプレートから発射される方向は、通常、設計によって定められる。ほとんどの場合、この方向は、プレートの表面に垂直、即ち、ｚ方向である。より広い空間的領域をカバーするために、ノズルは、部分的に異なる角度で配置することができ、例えば、プレートの中央では垂直で、ノズルが外側領域にあるほど次第に更に外側を向き、最も外側の縁では約４５°の角度までで配置することができる。当業者には、目的の用途に応じて他の配置を決定することは容易である。
【００６９】
バー（１）と同様に、プレート（３）もヒット確率を増加するために動かすことができる。この設計ではｘ方向及びｙ方向のわずかな動きが特に好ましい。プレートのわずかな傾きも可能である。動きが大きくなるほどコンパクトな設計の利点を打ち消す。
【００７０】
バー（１）と同様に、流体を家庭用芳香剤及び／又は忌避剤とともに使用する、非常に限られた範囲、シンプルなセンサ及び制御システム、並びに全ノズルの同時作動を伴う好適な実施形態がある。ノズルの２次元配置により、バー（１）設計に比べてプレート（３）設計の方が大幅に広い動作範囲（例えば、約０．５ｍ（ｘ方向）×０．５ｍｍ（ｙ方向）×５ｃｍ（ｚ方向））を達成する。目的の用途に応じて、当業者であれば、グリッド寸法及びサイズを適宜調整及び／又は最適化することができる。
【００７１】
実施形態ｃ：半球
図３は、半球（４）、即ち、本発明の概念に関連する３次元配置の形態の本発明の概念によるデバイスを示す。図３の図は、ｘ−ｚ面における断面図である。特定の実施形態では、直径は、例えば１００ｍｍであり得る。
【００７２】
本実施形態では、ノズルは表面に垂直に方向付けされていることが好ましい。半球形状により、複数のノズルによってより広い空間的領域がカバーされる。したがって、本実施形態の場合、先行する実施形態の場合に比べてより高いノズル密度、例えば、約０．１〜０．２ｍｍのグリッド寸法を有するものを選択すると有利である。
【００７３】
本実施形態でも、カバーされる空間的領域及びヒット確率は半球４のわずかな動きによって増加することができる。この場合、図３に示されるｚ軸の周りのわずかな回転運動が優先される。
【００７４】
好適な変形形態では、本実施形態は、卓上デバイスとして使用される。別の好適な変形形態では、この半球を（平坦面が天井と直接接触した状態で）天井から吊るす。
【００７５】
実施形態ｄ：銃
図４は、「銃」（５）の形態の本発明の概念によるデバイスを示す。この場合、１つのみのノズルがある。対象物体を捕らえるために、このノズルを２つの軸線において回転させることができる。本実施形態の本質的な特徴は、１つのノズルのみが使用されることである。したがって、このノズルは、特に、放出される液滴のより高い初速度を達成するために設計がより複雑であり得る。より高いヒット精度のためにノズルが更に備えられ得る。しかしながら、これは、より複雑なアクチュエータシステム及びより複雑な制御ユニットを必要とする。
【００７６】
本発明は先行する実施形態に限定されない。代わりに、本発明の概念を用い、したがって保護の範囲下にもある複数の変形形態及び修正形態が考えられる。
【符号の説明】
【００７７】
１  バー
２  複数の微小なノズル
３  プレート
４  半球
５  「銃」
【図１】
2018520700.tif 000003
【図２】
2018520700.tif 000004
【図３】
2018520700.tif 000005
【図４】
2018520700.tif 000006
【国際調査報告】
2018520700.tif 000007
2018520700.tif 000008
2018520700.tif 000009
2018520700.tif 000010
2018520700.tif 000011
2018520700.tif 000012